(57)【要約】【課題】撮影すべきタイミングにおいて良好に撮影し、かつ、電力消費量を抑制する。【解決手段】ＬＥＤ照明１は、直管型のＬＥＤ照明であって、複数のＬＥＤ２１１が配置される照明部２と、照明部２の長手方向の一端に設けられ、蛍光灯ソケットに接続する第１接続部３と、照明部２の長手方向の他端に設けられ、蛍光灯ソケットに接続する第２接続部４と、を備え、第１接続部３及び第２接続部４の少なくとも１つは、物体の接近を検出する検出部４３と、検出部４３が物体の接近を検出した場合に撮影する撮影部４５と、検出部４３の検出方向及び撮影部４５の撮影方向の少なくとも１つを変化させる可動部と、を有する。【選択図】図２
2014110181.tif 000002
【特許請求の範囲】
【請求項１】
直管型のＬＥＤ照明であって、
複数のＬＥＤが配置された照明部と、
前記照明部の長手方向の一端に設けられ、蛍光灯器具の第１ソケットに接続する第１接続部と、
前記照明部の長手方向の他端に設けられ、前記蛍光灯器具の第２ソケットに接続する第２接続部と、を備え、
前記第１接続部及び前記第２接続部の少なくとも１つは、
物体の接近を検出する検出部と、
前記検出部が前記物体の接近を検出した場合に撮影する撮影部と、
前記検出部の検出方向及び前記撮影部の撮影方向の少なくとも１つを変化させる可動部と、
を有するＬＥＤ照明。
【請求項２】
前記可動部は、前記検出部の検出範囲と前記撮影部の撮影範囲とを独立して変化させる、
請求項１に記載のＬＥＤ照明。
【請求項３】
前記第１接続部又は前記第２接続部のいずれかに配置される電源部をさらに備え、
前記検出部及び前記撮影部の双方は、前記電源部が配置されていない接続部に設けられている、
請求項１又は２に記載のＬＥＤ照明。
【請求項４】
前記検出部が前記物体の接近を検出したことに応じて前記ＬＥＤを発光させる発光制御部をさらに備え、
前記撮影部は、前記検出部が前記物体の接近を検出し、前記発光制御部により前記ＬＥＤが発光されたことに応じて撮影する、
請求項１から３のいずれか１項に記載のＬＥＤ照明。
【請求項５】
前記ＬＥＤ照明の周辺の照度を検出する照度センサをさらに備え、
前記発光制御部は、前記検出部が前記物体の接近を検出し、かつ、前記照度センサが検出した前記照度が所定値以下の場合に、前記ＬＥＤを発光させる、
請求項４に記載のＬＥＤ照明。
【請求項６】
前記撮影部によって撮影された画像データを記憶する記憶媒体を装着する装着部をさらに備える、
請求項１から５のいずれか１項に記載のＬＥＤ照明。
【発明の詳細な説明】
【技術分野】
【０００１】
本発明は、ＬＥＤ照明に関する。
【背景技術】
【０００２】
従来、防犯上の観点から、屋内に防犯カメラを設置して屋内を監視することが行われている。しかしながら、屋内に防犯カメラを設置するには、工事等が必要となり設置コストがかかるという問題がある。
【０００３】
そこで、近年、蛍光灯ソケットに接続して照明可能なＬＥＤ照明を用いて屋内を監視する技術が開発されている。例えば、特許文献１には、照明器具の周囲を監視するための監視用センサとして、ＬＥＤ照明に監視カメラを設け、ＬＥＤを光源として撮影された映像を定期的に監視サーバに送信することが開示されている。このＬＥＤ照明によれば、工事等を行うことなく、屋内を監視することができる。
【先行技術文献】
【特許文献】
【０００４】
【特許文献１】特開２０１０−１１４０５５号公報
【発明の概要】
【発明が解決しようとする課題】
【０００５】
特許文献１に記載されたＬＥＤ照明は、ＬＥＤを光源として撮影を行うことによって監視を行うので、監視中はＬＥＤを点灯させ続ける必要がある。したがって、例えば、外出期間が長くなる場合のように監視時間が長時間になると、電力消費量が多くなるという問題がある。また、特許文献１に記載されたＬＥＤ照明は、ＬＥＤを光源として撮影を行うことから、ＬＥＤ照明が設置された場所に人がいない時間帯のように、ＬＥＤが消灯している状態では、良好に撮影できないという問題もあった。そこで、最適なタイミングで良好に撮影し、かつ、電力消費量を抑制することができるＬＥＤ照明が求められている。
【０００６】
本発明は、撮影すべきタイミングにおいて良好に撮影し、かつ、電力消費量を抑制することができるＬＥＤ照明を提供することを目的とする。
【課題を解決するための手段】
【０００７】
本発明のＬＥＤ照明は、直管型のＬＥＤ照明であって、複数のＬＥＤが配置された照明部と、前記照明部の長手方向の一端に設けられ、蛍光灯器具の第１ソケットに接続する第１接続部と、前記照明部の長手方向の他端に設けられ、前記蛍光灯器具の第２ソケットに接続する第２接続部と、を備え、前記第１接続部及び前記第２接続部の少なくとも１つは、物体の接近を検出する検出部と、前記検出部が前記物体の接近を検出した場合に撮影する撮影部と、前記検出部の検出方向及び前記撮影部の撮影方向の少なくとも１つを変化させる可動部と、を有する。
【０００８】
また、本発明に係るＬＥＤ照明では、前記可動部は、前記検出部の検出範囲と前記撮影部の撮影範囲とを独立して変化させてもよい。
【０００９】
また、本発明に係るＬＥＤ照明では、記第１接続部又は前記第２接続部のいずれかに配置される電源部をさらに備え、前記検出部及び前記撮影部の双方は、前記電源部が配置されていない接続部に設けられていてもよい。
【００１０】
また、本発明に係るＬＥＤ照明では、前記検出部が前記物体の接近を検出したことに応じて前記ＬＥＤを発光させる発光制御部をさらに備え、前記撮影部は、前記検出部が前記物体の接近を検出し、前記発光制御部により前記ＬＥＤが発光されたことに応じて撮影してもよい。
【００１１】
また、本発明に係るＬＥＤ照明は、前記ＬＥＤ照明の周辺の照度を検出する照度センサをさらに備え、前記発光制御部は、前記検出部が前記物体の接近を検出し、かつ、前記照度センサが検出した前記照度が所定値以下の場合に、前記ＬＥＤを発光させてもよい。
【００１２】
また、本発明に係るＬＥＤ照明は、前記撮影部によって撮影された画像データを記憶する記憶媒体を装着する装着部をさらに備えてもよい。
【発明の効果】
【００１３】
本発明によれば、撮影すべきタイミングにおいて良好に撮影し、かつ、電力消費量を抑制することができる。
【図面の簡単な説明】
【００１４】
【図１】第１の実施形態に係るＬＥＤ照明の外観図である。
【図２】第１の実施形態に係るＬＥＤ照明の構成図である。
【図３】第１の実施形態に係る収容部の断面図である。
【図４】第１の実施形態に係る第２収容部の構成図である。
【図５】図４に示した第２収容部のＡ−Ａ’断面図である。
【図６】第２の実施形態に係るＬＥＤ照明の構成図である。
【図７】第２の実施形態に係る第２収容部の構成図である。
【図８】第３の実施形態に係るＬＥＤ照明の構成図である。
【図９】第５の実施形態に係るＬＥＤ照明の構成図である。
【図１０】第６の実施形態に係るＬＥＤ照明における第２接続部の断面図である。
【発明を実施するための形態】
【００１５】
以下、本発明の実施形態について説明する。
＜第１の実施形態＞
［ＬＥＤ照明１の構成］
図１は、第１の実施形態に係るＬＥＤ照明１の外観図である。
ＬＥＤ照明１は、直管型の照明であり、照明部２と、第１接続部３と、第２接続部４とを備える。第１接続部３及び第２接続部４のそれぞれには、蛍光灯ソケットに接続するための口金５Ａ及び口金５Ｂが設けられている。第２接続部４の内部には、後述の検出部４３及び撮影部４５が、ＬＥＤ照明１の長手方向に並んで設けられている。第１接続部３及び第２接続部４の少なくとも一方に、蛍光灯ソケットから電力が供給される。ここで、蛍光灯ソケットとは、部屋の天井及び壁面、並びに屋外の街灯等に設けられている、蛍光灯照明を接続するための接続部を備える装置である。
【００１６】
図２は、第１の実施形態に係るＬＥＤ照明１の構成図である。照明部２は、第１基板２１と、第１基板２１を収容する収容部２２とを備える。
第１基板２１においては、図２に示すように、複数のＬＥＤ２１１−１、２１１−２、・・・、２１１−Ｎ（Ｎは２以上の整数）と、スイッチ２１２と、抵抗２１４とが、導線２１３によって直列に接続されている。ＬＥＤ２１１−１のアノードは、導線２１３を介して後述の電源部３１の正出力端子３３−１に接続され、カソードは、導線２１３を介してＬＥＤ２１１−２のアノードに接続されている。ＬＥＤ２１１−Ｎのアノードは、導線２１３を介してＬＥＤ２１１−（Ｎ−１）のカソードに接続され、カソードは、導線２１３を介してスイッチ２１２に接続されている。なお、本明細書においては、複数のＬＥＤ２１１−１、２１１−２、・・・、２１１−Ｎをまとめて、ＬＥＤ２１１という。
【００１７】
スイッチ２１２の２つの端子は、それぞれＬＥＤ２１１−Ｎのカソードと、抵抗２１４の一端とに接続されている。抵抗２１４の他端は、電源部３１の負出力端子３４に接続されている。また、スイッチ２１２は、後述の統合制御部４４に接続されており、統合制御部４４の制御によって、ＬＥＤ２１１に電流を流して点灯するか否かを切り替える。スイッチ２１２は、例えば、統合制御部４４が出力する制御信号に応じて導通状態を切り替えるリレー又はトランジスタである。
【００１８】
図３は、第１の実施形態に係る収容部２２の断面図である。収容部２２は、円筒形状であり、放熱板２２１と、透光カバー２２２とを備える。
放熱板２２１は、例えば、アルミニウムにより構成され、断面が櫛形形状に形成されている。放熱板２２１は、第１基板２１と接しており、ＬＥＤ２１１の発光によって生じた熱を放出する。放熱板２２１には、第１基板２１を装着するための突起部２２１Ａが設けられている。
【００１９】
透光カバー２２２は、例えば、ポリカーボネート製の樹脂に光を散乱する散乱剤を混ぜた材料により構成されている。透光カバー２２２は、断面が略円形の一部を切除した形状に形成されており、放熱板２２１と結合されている。透光カバー２２２は、ＬＥＤ２１１から放出された光を散乱させて外部に放出する。透光カバー２２２の両端の外周には、円周方向に溝が形成されている。
【００２０】
第１接続部３は、照明部２の長手方向の一端に設けられ、蛍光灯ソケットに接続する。第１接続部３は、電源部３１と、電源部３１を収容する収容部（収容室）３２とを備えている。
電源部３１は、例えば、整流回路、フィルタ回路、スイッチングレギュレータＩＣ、及びコネクタが搭載された電源基板を有する。電源部３１は、商用電源を整流し、コネクタに設けられた負出力端子３４をグランドとして、第１正出力端子３３−１及び第２正出力端子３３−２から所定の直流電圧を出力する。
【００２１】
電源部３１と第１基板２１とは、ケーブルで接続されている。第１正出力端子３３−１は、ＬＥＤ２１１−１のアノードに接続されており、例えば５０Ｖの直流電圧を出力する。第２正出力端子３３−２は、後述の検出部４３、統合制御部４４及び撮影部４５に接続されており、例えば３．３Ｖの直流電圧を出力する。負出力端子３４は、スイッチ２１２と、検出部４３、統合制御部４４及び撮影部４５のグランド端子に接続されている。なお、電源部３１は、第１接続部３に設けられることとしたが、これに限らず、第２接続部４に設けてもよい。また、電源部３１は、第１接続部３及び第２接続部４のそれぞれに配置されてもよい。
【００２２】
収容部３２は、円筒形状であり、収容部３２の照明部２側の端部には、透光カバー２２２の端部に形成された溝に接続される突起が円周方向に形成されており、第１可動部として機能する。すなわち、第１接続部３は、照明部２に対して回動可能に構成されている。また、収容部３２の蛍光灯ソケット側の端部には、蛍光灯ソケットの端子に接続し、電源部３１に供給する商用電力を受ける口金５Ａが設けられている。
【００２３】
第２接続部４は、照明部２の長手方向の他端、すなわち、第１接続部３と反対側に設けられており、口金５Ｂによって蛍光灯ソケットに接続する。第２接続部４は、第２基板４１と、第２基板４１を収容する第２収容部４２とを備える。なお、電源部３１が第２接続部４に設けられている場合には、第２基板４１は、第１接続部３に設けられていてもよい。
【００２４】
第２基板４１には、検出部４３と、統合制御部４４と、撮影部４５と、装着部４６とが設けられている。
検出部４３は、例えば、赤外線感知方式のセンサであり、物体の接近を検出する。すなわち、検出部４３は、例えば、フロアの床面方向の円錐状の空間を検出範囲とし、ＬＥＤ照明１から所定距離以内において、一定以上の強さの赤外線を発する所定の大きさ以上の物体が動作又は存在していることを検出する。検出部４３は、第２基板４１に接近を検出したことを示す検出信号を統合制御部４４に出力する。なお、検出部４３は、赤外線感知方式のセンサに限らず、静電容量方式、超音波感知式等、他の方式のセンサでもよい。
【００２５】
統合制御部４４は、例えば、ＣＰＵ等により構成される電子回路である。統合制御部４４は、ＬＥＤ２１１を発光させるか否かを制御する発光制御部としても機能する。統合制御部４４は、例えば、リモコンを用いたユーザの操作によってＬＥＤ照明１を点灯させる点灯モードに設定されると、ＬＥＤ２１１を点灯させる。統合制御部４４は、検出部４３が物体の接近を検出した場合にＬＥＤ照明１を点灯させる警備モードに設定されると、検出部４３が物体の接近を検出したことに応じてＬＥＤ２１１を点灯させる。
【００２６】
すなわち、統合制御部４４は、検出部４３から検出信号が入力されると、スイッチ２１２を制御して導通状態にすることによりＬＥＤ２１１に電流を流し、ＬＥＤ２１１を点灯させる。また、統合制御部４４は、スイッチ２１２を導通状態にした後、ＬＥＤ２１１が発する光の輝度が安定するまでの所定時間が経過した場合に、撮影部４５に撮影開始信号を出力する。統合制御部４４は、検出部４３から検出信号が入力されると、所定の間隔でＬＥＤ２１１を所定の時間だけ発光させ、ＬＥＤ２１１が発光している間に撮影部４５に撮影開始信号を出力した後に、ＬＥＤ２１１の発光を停止してもよい。
【００２７】
撮影部４５は、レンズ及びＣＣＤ等によって構成されており、検出部４３が物体の接近を検出した場合に撮影を行う。例えば、撮影部４５は、ＬＥＤ照明１の長手方向において検出部４３と並んで第２基板４１に配置されている。撮影部４５は、撮影開始信号が入力されると、撮影を開始し、所定時間にわたって撮影を行う。撮影部４５は、撮影を開始すると、所定間隔で撮影を行い、一以上の画像データを生成する。ここで、撮影部４５による撮影間隔は予め設定してもよい。さらに、撮影部４５は、画像データに限らず、映像データを生成してもよい。また、撮影部４５は、検出部４３から検出信号が入力されている間、撮影を継続し、検出部４３から検出信号が入力されなくなると、撮影を中止してもよい。また、撮影部４５は、検出部４３から検出信号が入力されなくなった状態になってから所定時間経過した後、撮影を中止してもよい。
【００２８】
撮影部４５は、撮影した画像を、撮影した時刻と関連付けて装着部４６に装着された記憶媒体に記憶させる。ここで、撮影部４５は、撮影した画像データのサイズに比べて記憶媒体が新たに記憶可能な容量が小さい場合、記憶媒体に記憶されている画像データのうち最も古い画像データを消去し、撮影した画像データを記憶可能な容量を確保した後、撮影した画像データを記憶させてもよい。
【００２９】
なお、撮影部４５は、画像データを記憶媒体に記憶させたことを統合制御部４４に通知してもよい。統合制御部４４は、当該通知を受けて、ＬＥＤ照明１が設置された部屋に戻ってきたユーザの所定のリモコン操作に応じた信号が入力されるまで、ＬＥＤ２１１を特殊なパターンで点滅させてもよい。このようにすることで、撮影部４５が撮影した時にＬＥＤ照明１が設置された部屋にいなかったユーザは、検出部４３が物体を検出して、記憶媒体に画像データが記憶されたことを認識できる。
【００３０】
装着部４６は、撮影部４５によって撮影された画像データを記憶するメモリカード等の記憶媒体を装着するコネクタである。装着部４６における記憶媒体の挿入口は、例えば、キャップ４２３に設けられた２つの口金５Ｂの間に形成されており、ＬＥＤ照明１が蛍光灯ソケットに装着された状態では、記憶媒体が視認されない。
【００３１】
図４は、第１実施形態に係る第２収容部４２の構成図である。第２収容部４２は、外側収容部４２１と、内側収容部４２２と、キャップ４２３から構成されている。図４は、第２収容部４２を構成する外側収容部４２１と、内側収容部４２２と、キャップ４２３とが組み立てる前の状態を示している。図５は、外側収容部４２１と、内側収容部４２２と、キャップ４２３とが組み立てられた後における、図４に示した第２収容部４２のＡ−Ａ’断面図である。
【００３２】
外側収容部４２１は、円筒形状であり、両端が開口している。外側収容部４２１には、照明部２側の端部に設けられた溝に結合される突起が形成されている。また、外側収容部４２１の円周面には、第１開口部４２５が形成されている。照明部２の長手方向における第１開口部４２５の幅は、照明部２の円周方向において一定の幅である。
【００３３】
外側収容部４２１は、収容部２２の端部から外側収容部４２１の側に延伸された放熱板２２１に接続されていることが好ましい。放熱板２２１が収容部２２及び外側収容部４２１を貫通していることにより、ＬＥＤ照明１の強度が向上する。
【００３４】
内側収容部４２２は、円筒形状であり、両端が開口している。内側収容部４２２は、外周径が外側収容部４２１の内周径に比べて短く、外側収容部４２１に挿入されている。また、内側収容部４２２の円周面には、内側収容部４２２を外側収容部４２１に挿入した場合に第１開口部４２５の少なくとも一部の領域に対向する位置に、第２開口部４２６Ａ及び第２開口部４２６Ｂが形成されている。内側収容部４２２は、外側収容部４２１に対して回動可能に構成されている。
【００３５】
具体的には、内側収容部４２２は、第２開口部４２６Ａ及び第２開口部４２６Ｂが第１開口部４２５の少なくとも一部の領域と重なる範囲で、ＬＥＤ照明１の円周方向に回動する。なお、内側収容部４２２が上記の範囲で回動し、上記の範囲を越えて回動しないように、内側収容部４２２の外側面には、検出部４３及び撮影部４５の近傍に凸部４２８が設けられている。
【００３６】
また、内側収容部４２２の内周面には、複数の突起部４２７が形成されている。複数の突起部４２７が対向する側には、第２基板４１が固定される凹部が形成されている。第２基板４１が複数の突起部４２７の間に固定されることで、第２基板４１における検出部４３は、第２開口部４２６Ａの位置に設けられ、撮影部４５のレンズは、第２開口部４２６Ｂの位置に設けられる。
【００３７】
キャップ４２３には、蛍光灯ソケットに接続するための口金５Ｂ及び記憶媒体を装着部４６に挿入するための挿入口４２９が設けられている。キャップ４２３の内径は、例えば内側収容部４２２の内径と等しい。キャップ４２３は、外側収容部４２１の内径よりも大きな第１の直径の第１円柱部と、外側収容部４２１の内径よりも小さく、内側収容部４２２の内径よりも大きい第２の直径の第２円柱部とを有してもよい。キャップ４２３は、外側収容部４２１に挿入された状態で内側収容部４２２のＬＥＤ照明１の長手方向における移動を規制する。
【００３８】
なお、上記の説明において、装着部４６における記憶媒体の挿入口４２９がキャップ４２３に設けられているとしたが、記憶媒体の挿入口４２９は他の位置に設けられていてもよい。例えば、装着部４６が、検出部４３及び撮影部４５と同様に、照明部２の円周方向に回動可能に設けられていてもよい。
【００３９】
また、上記の説明において、収容部２２と外側収容部４２１とは、溝と突起により互いに結合されている構成について説明したが、収容部２２と外側収容部４２１とが一体になっていてもよい。また、検出部４３と撮影部４５は、それぞれ第１接続部３又は第２接続部４に配置されるが、これに限らず、それぞれが異なる接続部に配置されてもよい。
【００４０】
［ＬＥＤ照明１の製造方法］
次に、ＬＥＤ照明１の製造方法について説明する。まず、電源部３１を収容部３２に装着して第１接続部３を組み立てる。また、ＬＥＤ２１１及びスイッチ２１２を実装した第１基板２１を放熱板２２１に装着して照明部２を組み立てる。さらに、検出部４３、統合制御部４４、撮影部４５、及び装着部４６を実装した第２基板４１を複数の突起部４２７の間に固定して、内側収容部４２２に装着する。
【００４１】
続いて、外側収容部４２１に内側収容部４２２を挿入し、第１開口部４２５の位置と、第２開口部４２６の位置とを合わせる。続いて、内側収容部４２２に凸部４２８を接着する。続いて、外側収容部４２１にキャップ４２３を装着する。これにより、内側収容部４２２は、ＬＥＤ照明１の長手方向に移動しないで、第１開口部４２５の範囲内で、ＬＥＤ照明１の円周方向に回動する可動部として機能し、検出部４３の検出方向及び撮影部４５の撮影方向を変化させることができるＬＥＤ照明１が完成する。
【００４２】
［第１の実施形態における効果］
以上のとおり、第１の実施形態に係るＬＥＤ照明１は、第２接続部４が、物体の接近を検出する検出部４３と、検出部４３が物体の接近を検出した場合に撮影する撮影部４５と、検出部４３の検出方向及び撮影部４５の撮影方向の少なくとも１つを変化させる可動部として機能する内側収容部４２２と、を備える。
【００４３】
このようにすることで、ＬＥＤ照明１は、検出部４３の検出方向及び撮影部４５の撮影方向の少なくとも１つを変化させることができるので、ＬＥＤ照明１が設置された部屋への侵入者が写りやすい最適な撮影範囲を定めて、室内を良好に撮影することができる。
【００４４】
また、ＬＥＤ照明１は、第１接続部３又は第２接続部４のいずれかに配置される電源部３１をさらに備え、検出部４３及び撮影部４５が、電源部３１が配置されていない接続部に配置されている。このようにすることで、検出部４３及び撮影部４５が電源部３１から遠ざけて配置されるので、電源部３１が発するノイズの影響を軽減することができる。また、電源部３１と検出部４３及び撮影部４５とを分離して、それぞれ第１接続部３及び第２接続部４に設けることにより、ＬＥＤ照明１における非点灯領域の幅が口金５Ａ側と口金５Ｂ側とで異なる幅になることを防止できる。
【００４５】
また、検出部４３が物体の接近を検出したことに応じてＬＥＤ２１１を発光させる統合制御部４４をさらに備え、撮影部４５は、統合制御部４４によりＬＥＤ２１１が発光されたことに応じて撮影する。このようにすることで、ＬＥＤ２１１が発光している状態で撮影部４５に撮影させることができるので、例えば夜にＬＥＤ２１１を発光させないで撮影する場合に比べて良好に撮影することができる。
【００４６】
また、ＬＥＤ照明１は、撮影部４５によって撮影された画像データを記憶する記憶媒体を装着する装着部４６を備えているので、時間が経過した後で、撮影された画像データを確認することができる。特に、装着部４６における記憶媒体の挿入口４２９が外部から目立たない位置に設けられていることにより、空き巣等の侵入者が記憶媒体の存在に気付くことを防ぐことができる。
【００４７】
また、統合制御部４４が、検出部４３が物体の接近を検出した後に、所定の間隔でＬＥＤ２１１を所定の時間だけ発光させ、ＬＥＤ２１１が発光している間に撮影部４５に撮影開始信号を出力した後に、ＬＥＤ２１１の発光を停止することにより、ＬＥＤ照明１が設置された部屋に侵入した人を威嚇し、異常が発生したことを部屋の外の人に通知するとともに、室内を良好に撮影することができる。
【００４８】
＜第２の実施形態＞
［検出範囲と撮影範囲とを独立して調整する］
続いて、第２の実施形態について説明する。第２の実施形態は、検出部４３の物体の接近の検出範囲と、撮影部４５の撮影範囲とをそれぞれ独立して調整できる構成を有する点で第１の実施形態と異なり、その他の点では同じである。
【００４９】
図６は、第２の実施形態に係るＬＥＤ照明１の構成図である。第２の実施形態において、第２接続部４は、第１実施形態の第２基板４１の代わりに、第２基板４１Ａと第２基板４１Ｂとを備える。
第２基板４１Ａには、検出部４３と、センサ制御部４７とが設けられ、第２基板４１Ｂには、統合制御部４４と、撮影部４５と、装着部４６とが設けられている。センサ制御部４７は、検出部４３が出力する検出信号を受けて、検出部４３における検出状態を統合制御部４４に通知する。なお、検出部４３、統合制御部４４、撮影部４５、装着部４６、及びセンサ制御部４７の配置組み合わせは、検出部４３と撮影部４５とが第２基板４１Ａ及び第２基板４１Ｂに別個に設けられている態様であれば、上記の配置組み合わせと異なる配置組み合わせであってもよい。
【００５０】
図７は、第２の実施形態に係る第２収容部４２の構成図である。第２収容部４２は、外側収容部４２１と、第１内側収容部４２２Ａと、第２内側収容部４２２Ｂと、キャップ４２３とから構成されている。
外側収容部４２１の円周面には、円周方向に沿って第１開口部４２５Ａと、第１開口部４２５Ｂとが形成されている。第１開口部４２５Ａと第１開口部４２５Ｂとは、ＬＥＤ照明１の長手方向に並んで形成されている。
【００５１】
第１内側収容部４２２Ａは、円筒形状であり、両端が開口している。第１内側収容部４２２Ａは、外周径が外側収容部４２１の内周径に比べて短く、外側収容部４２１に挿入されている。また、第１内側収容部４２２Ａの円周面には、第１内側収容部４２２Ａと第２内側収容部４２２Ｂとを外側収容部４２１に挿入した場合に第１開口部４２５Ａに対向する位置に、第２開口部４２６Ａが形成されている。また、第１内側収容部４２２Ａの内周面には、複数の第１突起部４２７Ａが形成されている。複数の第１突起部４２７Ａの間には、第２基板４１Ａが固定されている。
【００５２】
第２内側収容部４２２Ｂは、円筒形状であり、両端が開口している。ここで、第１内側収容部４２２Ａの軸方向の長さと、第２内側収容部４２２Ｂの軸方向の長さとは、これら長さの和が外側収容部４２１の軸方向の長さに比べて短いように構成されている。第２内側収容部４２２Ｂは、外周径が外側収容部４２１の内周径に比べて短く、外側収容部４２１に挿入されている。また、第２内側収容部４２２Ｂの円周面には、第１内側収容部４２２Ａと第２内側収容部４２２Ｂとを外側収容部４２１に挿入した場合に第１開口部４２５Ｂに対向する位置に、第２開口部４２６Ｂが形成されている。また、第２内側収容部４２２Ｂの内周面には、複数の第２突起部４２７Ｂが形成されている。複数の第２突起部４２７Ｂの間には、第２基板４１Ｂが固定されている。
【００５３】
［第２の実施形態における効果］
以上のとおり、第２の実施形態に係るＬＥＤ照明１においては、第１内側収容部４２２Ａと第２内側収容部４２２Ｂとが、独立して外側収容部４２１の内側において回動可能に設けられている。したがって、第１内側収容部４２２Ａに装着された第２基板４１Ａに設けられた検出部４３の検出範囲と、第２内側収容部４２２Ｂに装着された第２基板４１Ｂに設けられた撮影部４５の撮影範囲とが独立して向きを変化することができる。このようにすることで、ユーザは、ＬＥＤ照明１を設置する環境に応じて検出部４３の検出範囲と、撮影部４５の撮影範囲とを柔軟に調整することができる。
【００５４】
＜第３の実施形態＞
［照度が所定値以下の場合に、ＬＥＤ２１１を発光させる］
続いて、第３の実施形態について説明する。第３の実施形態は、照度が所定値以下の場合に、ＬＥＤ２１１を発光させる点で第１の実施形態と異なり、その他の点では同じである。
【００５５】
図８は、第３の実施形態に係るＬＥＤ照明１の構成図である。第３の実施形態の第２基板４１には、検出部４３、統合制御部４４、撮影部４５、及び装着部４６に加えて、照度センサ４８が設けられている。
【００５６】
照度センサ４８は、例えば、フォトダイオード等から構成されており、周囲の照度を測定する。照度センサ４８は、測定した照度を統合制御部４４に出力する。
統合制御部４４は、検出部４３が物体の接近を検出したタイミングにおいて、照度センサ４８が検出した照度が所定値以下の場合に、スイッチ２１２を制御してスイッチを導通状態にする。すると、ＬＥＤ２１１に電流が流れて、ＬＥＤ２１１が発光を開始する。
【００５７】
統合制御部４４は、照度センサ４８が検出した照度に応じて、ＬＥＤ２１１の明るさを調整してもよい。例えば、抵抗２１４が外部から入力された値に応じて抵抗値を変化させることができるデジタルポテンショメーターである場合に、統合制御部４４は、照度に応じた値を抵抗２１４に入力することにより、ＬＥＤ２１１の明るさを調整することができる。
【００５８】
［第３の実施形態における効果］
以上のとおり、第３の実施形態に係るＬＥＤ照明１は、検出部４３が物体の接近を検出し、かつ、照度センサ４８が検出した照度が所定値以下の場合に、ＬＥＤ２１１を発光させるので、ＬＥＤ照明１以外の照明器具を設けることなく、物体が接近したタイミングで良好に撮影することができる。また、照度が所定値以下の場合にＬＥＤ２１１を発光させるので、第１実施形態に係るＬＥＤ照明１に比べて、電力消費量をさらに抑制することができる。
【００５９】
＜第４の実施形態＞
［複数のＬＥＤ照明１が連動して動作する］
上記の実施形態においては、撮影部４５は、検出部４３が物体の接近を検出すると撮影するものとして説明したが、撮影部４５は、他の要因に応じて撮影してもよい。例えば、ＬＥＤ照明１が、検出部４３の検出信号をＢｌｕｅｔｏｏｔｈ（登録商標）のような無線回線を介して送信する送信部と、他のＬＥＤ照明１が送信した検出信号を受信する受信部とを備え、統合制御部４４は、他のＬＥＤ照明１から検出信号を受信すると、ＬＥＤ２１１を点灯するとともに、撮影部４５に撮影させてもよい。
【００６０】
［第４の実施形態における効果］
上記の構成によれば、部屋に設置された複数のＬＥＤ照明１のうち、１台のＬＥＤ照明１の検出部４３が正常に機能していれば、他のＬＥＤ照明１の検出部４３が故障していたり、他のＬＥＤ照明１が検出部４３を備えていなかったりする場合であっても、複数の位置において侵入者を撮影することができる。
【００６１】
＜第５の実施形態＞
上記の実施形態においては、第２接続部４が外側収容部４２１及び内側収容部４２２を備える構成について説明したが、第２接続部４が内側収容部４２２を有さず、外側収容部４２１に検出部４３及び撮影部４５が設けられていてもよい。
【００６２】
図９は、第５の実施形態に係るＬＥＤ照明１の構成図である。図９に示すＬＥＤ照明１においては、収容部２２と外側収容部４２１とが一体に構成されており、外側収容部４２１は、例えば、収容部２２が備える放熱板２２１に接続されている。
【００６３】
外側収容部４２１には、図４に示した内側収容部４２２の第２開口部４２６Ａ及び第２開口部４２６Ｂと同様の形状の開口部が形成されている。外側収容部４２１の内側には第２基板４１が装着されており、第２基板４１に設けられた検出部４３及び撮影部４５が開口部から露出している。
【００６４】
外側収容部４２１のキャップ４２３側の端部には円周方向に突起が形成されている。当該突起が、キャップ４２３の内周面に形成された溝に沿って移動することにより、外側収容部４２１はキャップ４２３に対して回動する可動部として機能する。外側収容部４２１及び収容部２２がキャップ４２３に対して回動することにより、検出部４３の検出範囲及び撮影部４５の撮影範囲の方向が、ＬＥＤ照明１の円周方向に変化する。
【００６５】
なお、本実施形態においては、第１基板２１と第２基板４１とが一体の基板であってもよい。すなわち、第１基板２１が、ＬＥＤ２１１と、検出部４３と、撮影部４５とを備えてもよい。
【００６６】
［第５の実施形態における効果］
上記の構成によれば、外側収容部４２１と収容部２２とが一体になってキャップ４２３に対して回動するので、内側収容部４２２を備えることなく検出部４３の検出範囲及び撮影部４５の撮影範囲の方向を変化させることができる。したがって、部品コスト及び製造コストを低減することができる。
【００６７】
＜第６の実施形態＞
図１０は、第６の実施形態に係るＬＥＤ照明１における第２接続部４の断面図である。本実施形態に係る第２接続部４は、固定部４３０及び回転軸４３１をさらに備える点で、第１の実施形態に係る第２接続部４と異なる。固定部４３０は、放熱板２２１に直交する方向に延伸する棒状の部材である。固定部４３０は、回転軸４３１を固定する。回転軸４３１は、固定部４３０に固定され、内側収容部４２２と接続されている。第１の実施形態においては、内側収容部４２２は円筒形状であったが、本実施形態に係る内側収容部４２２は、回転軸４３１に接続された棒状の形状をしている。
【００６８】
内側収容部４２２は、回転軸４３１を回転中心として、内側収容部４２２に固定されている第２基板４１とともに、外側収容部４２１の円周方向に回動する。回転軸４３１は、キャップ４２３を貫通しており、キャップ４２３の外側においてユーザが操作することにより回転する。
【００６９】
外側収容部４２１は、検出部４３及び撮影部４５が移動する領域が、透明な部材により形成されている。第２接続部４が上記の構成を有することにより、内側収容部４２２が円筒形状でない場合であっても、検出部４３及び撮影部４５を、照明部２と独立して動かすことができる。
【００７０】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。
【００７１】
例えば、上記の実施形態においては、統合制御部４４がスイッチ２１２を制御することにより、ＬＥＤ２１１の点灯を制御していたが、統合制御部４４が電源部３１を制御することにより、ＬＥＤ２１１の点灯を制御してもよい。また、上記の実施形態においては、内側収容部４２２が外側収容部４２１の内側で回動することにより、検出部４３の検出方向及び撮影部４５の撮影方向の少なくとも１つをＬＥＤ照明１の円周方向に変化させることができたが、内側収容部４２２を回動させることなく、検出部４３及び撮影部４５の少なくとも１つを、任意の向きに変化させてもよい。さらに内側収容部４２２を回転させ、かつ、検出部４３及び撮影部４５を任意の向きに変化させてもよい。
【００７２】
また、上記の実施形態において、記憶媒体を装着する装着部４６は、キャップ４２３に設けられていたが、内側収容部４２２に設けられていてもよい。内側収容部４２２を回動させることができる場合には、内側収容部４２２には、記憶媒体を挿入するための開口が形成され、検出部４３又は撮影部４５の回動に合わせて記憶媒体が回動するための開口が外側収容部４２１にも形成される。
【００７３】
また、上記の実施形態において、撮影部４５が、撮影した画像データを記憶媒体に記憶させるものとしたが、撮影部４５が通信部を備え、通信回線を介して、撮影した画像データを所定のコンピュータに送信してもよい。例えば、当該通信部は、ＬＥＤ照明１が設置されている室内の無線ＬＡＮルーターを介して、画像データをコンピュータやスマートフォンに送信してもよい。
【００７４】
また、上記の実施形態において、第２収容部４２と外側収容部４２１とは、円周方向に形成された溝及び突起によって接続されるものとしたが、他の方法により接続されてもよい。例えば、第２収容部４２の端部に凸部が形成されており、外側収容部４２１の内面に凹部が形成されており、凸部と凹部とが嵌合することにより、第２収容部４２と外側収容部４２１とが接続されてもよい。外側収容部４２１とキャップ４２３との接続についても同様である。
【符号の説明】
【００７５】
１・・・照明、２・・・照明部、３・・・第１接続部、４・・・第２接続部、５Ａ・・・口金、５Ｂ・・・口金、２１・・・第１基板、２２・・・収容部、３１・・・電源部、３２・・・収容部、３３・・・正出力端子、３４・・・負出力端子、４１・・・第２基板、４１Ａ・・・第２基板、４１Ｂ・・・第２基板、４２・・・第２収容部、４２Ｂ・・・第２基板、４３・・・検出部、４４・・・統合制御部、４５・・・撮影部、４６・・・装着部、４７・・・センサ制御部、４８・・・照度センサ、２１１・・・ＬＥＤ、２１２・・・スイッチ、２１３・・・導線、２１４・・・抵抗、２２１・・・放熱板、２２２・・・透光カバー、４２１・・・外側収容部、４２２・・・内側収容部、４２３・・・キャップ、４２５・・・第１開口部、４２６・・・第２開口部、４２７・・・突起部、４２８・・・凸部、４２９・・・挿入口、４３０・・・固定部、４３１・・・回転軸
【図１】
2014110181.tif 000003
【図２】
2014110181.tif 000004
【図３】
2014110181.tif 000005
【図４】
2014110181.tif 000006
【図５】
2014110181.tif 000007
【図６】
2014110181.tif 000008
【図７】
2014110181.tif 000009
【図８】
2014110181.tif 000010
【図９】
2014110181.tif 000011
【図１０】
2014110181.tif 000012
【手続補正書】
【提出日】平成25年3月13日(2013.3.13)
【手続補正１】
【補正対象書類名】特許請求の範囲
【補正対象項目名】全文
【補正方法】変更
【補正の内容】
【特許請求の範囲】
【請求項１】
直管型のＬＥＤ照明であって、
複数のＬＥＤが配置された照明部と、
前記照明部の長手方向の一端に設けられ、蛍光灯器具の第１ソケットに接続する第１接続部と、
前記照明部の長手方向の他端に設けられ、前記蛍光灯器具の第２ソケットに接続する第２接続部と、を備え、
前記第１接続部及び前記第２接続部の少なくとも１つは、
物体の接近を検出する検出部と、
前記検出部が前記物体の接近を検出した場合に撮影する撮影部と、
前記照明部と接続されている外側収容部と、
前記外側収容部の内側において、前記照明部の円周方向に回動可能に設けられており、前記検出部の検出方向及び前記撮影部の撮影方向の少なくとも１つを変化させるべく前記検出部及び前記撮影部が設けられている内側収容部と、
を有するＬＥＤ照明。
【請求項２】
前記内側収容部は、前記検出部を収容する第１内側収容部と、前記第１内側収容部と独立して回動可能な、前記撮影部を収容する第２内側収容部と、を有する、
請求項１に記載のＬＥＤ照明。
【請求項３】
前記外側収容部は、第１開口部を有し、
前記内側収容部は、前記第１開口部の少なくとも一部の領域に対向する位置に第２開口部を有し、
前記撮影部及び前記検出部は、前記第２開口部の位置に設けられている、
請求項１又は２に記載のＬＥＤ照明。
【請求項４】
前記検出部が前記物体の接近を検出した後に、前記ＬＥＤが発光された光の輝度が安定するまでの時間が経過した場合に前記ＬＥＤを所定の時間だけ発光させ、前記ＬＥＤが発光している間に前記撮影部に撮影させた後に前記ＬＥＤの発光を停止する統合制御部をさらに備える、
請求項１から３のいずれか１項に記載のＬＥＤ照明。
【請求項５】
前記統合制御部は、前記ＬＥＤを発光させるか否かを制御し、点灯モードにおいては前記ＬＥＤを発光させ、警備モードにおいては前記検出部が前記物体の接近を検出した場合に前記ＬＥＤを発光させる、
請求項４に記載のＬＥＤ照明。
【請求項６】
前記撮影部によって撮影された画像データを記憶する記憶媒体を装着する装着部が、前記照明部の円周方向に回動可能に設けられている、
請求項１から５のいずれか１項に記載のＬＥＤ照明。